(57)【要約】【課題】活性汚泥によって廃水処理を行う際に、曝気槽などで発生するスカムを引き抜くことにより除去する方法において、スカムと活性汚泥を含む混合液のスカム濃度を高めることができ、スカム除去効率を高めることができるようにする。【解決手段】水処理槽の水面付近に浮遊するスカムと活性汚泥とを含む混合液を吸入するスカムスキマー２と、このスカムスキマー２から吸入された混合液を圧送する圧送手段４と、この圧送手段４で圧送された混合液を一時的に貯留するとともに上記水処理槽に戻すスカム濃縮槽１を備えたスカム除去装置を用いる。【選択図】図１
2006075765.tif 000002
【特許請求の範囲】
【請求項１】
水処理槽の水面付近に浮遊しているスカムと活性汚泥とを含む混合液をスカムスキマーで吸入し、この混合液をスカム濃縮槽に送り、さらにこの混合液とスカムをスカムスキマーで再度吸入することを繰り返すことによりスカム濃縮槽での混合液中のスカム濃度を高め、このスカム濃縮槽のスカム濃度の高い混合液を引き抜くことを特徴とするスカムの除去方法。
【請求項２】
スカム濃縮槽からのスカム濃度の高い混合液を脱水処理することを特徴とする請求項１記載のスカムの除去方法。
【請求項３】
水処理槽の水面付近に浮遊するスカムと活性汚泥とを含む混合液を吸入するスカムスキマーと、このスカムスキマーから吸入された混合液を圧送する圧送手段と、この圧送手段で圧送された混合液を一時的に貯留し、この混合液の一部を上記水処理槽に戻し、残部をスカムスキマーに吸入させるスカム濃縮槽を備えたことを特徴とするスカムの除去装置。
【請求項４】
スカム濃縮槽から混合液を引き抜き、この混合液を脱水処理する脱水処理装置をさらに備えた請求項３記載のスカムの除去装置。
【請求項５】
請求項３または４記載のスカムの除去装置が水処理槽内に設置されていることを特徴とする廃水処理装置。
【発明の詳細な説明】
【技術分野】
【０００１】
この発明は、活性汚泥によって廃水を処理する際に発生するスカムを効率よく除去できるスカムの除去方法およびその装置ならびにこのスカム除去装置を備えた廃水処理装置に関する。
【背景技術】
【０００２】
廃水を活性汚泥法により浄化処理する際、食品工場などから排出される油脂分が多く含まれている廃水などを処理対象とする場合には、処理水中に放線菌が発生することが多々ある。この放線菌は、曝気によって生じた気泡に付着し、スカムを生成する。このスカムは曝気槽などから溢れるなどの障害を起こす。
【０００３】
従来、このスカムの発生を防止するために、薬品による放線菌の殺菌、曝気量の調整などの方策が取られているが、その効果は不十分であった。
このため、一旦発生したスカムを除去すると言う対症療法的な方策が取られており、各種スカムスキマー、スカムポンプなどを用いてスカムを除去する方法が採用されている（特許文献１参照）。
【０００４】
しかしながら、スカムスキマーやスカムポンプを用いるものでは、スカムと活性汚泥を含む混合液を引き抜くため、引抜液のスカム濃度が低く、スカムの除去効率が低い欠点があった。このため、この引抜液を脱水処理する際の効率も悪いと言う欠点もある。
【特許文献１】特開平１０−２１６４１０号公報
【発明の開示】
【発明が解決しようとする課題】
【０００５】
よって、本発明における課題は、活性汚泥によって廃水処理を行う際、曝気槽などで発生するスカムを引き抜くことにより除去する方法において、スカムと活性汚泥を含む混合液中のスカム濃度を高めることができ、スカム除去効率を高めることができるようにすることにある。
【課題を解決するための手段】
【０００６】
かかる課題を解決するため、
請求項１にかかる発明は、水処理槽の水面付近に浮遊しているスカムと活性汚泥とを含む混合液をスカムスキマーで吸入し、この混合液をスカム濃縮槽に送り、さらにこの混合液とスカムをスカムスキマーで再度吸入することを繰り返すことによりスカム濃縮槽での混合液中のスカム濃度を高め、このスカム濃縮槽のスカム濃度の高い混合液を引き抜くことを特徴とするスカムの除去方法である。
請求項２にかかる発明は、スカム濃縮槽からのスカム濃度の高い混合液を脱水処理することを特徴とする請求項１記載のスカムの除去方法である。
【０００７】
請求項３にかかる発明は、水処理槽の水面付近に浮遊するスカムと活性汚泥とを含む混合液を吸入するスカムスキマーと、このスカムスキマーから吸入された混合液を圧送する圧送手段と、この圧送手段で圧送された混合液を一時的に貯留し、この混合液の一部を上記水処理槽に戻し、残部をスカムスキマーに吸入させるスカム濃縮槽を備えたことを特徴とするスカムの除去装置である。
請求項４にかかる発明は、スカム濃縮槽から混合液を引き抜き、この混合液を脱水処理する脱水処理装置をさらに備えた請求項３記載のスカムの除去装置である。
【０００８】
請求項５にかかる発明は、請求項３または４記載のスカムの除去装置が水処理槽内に設置されたことを特徴とする廃水処理装置である。
【発明の効果】
【０００９】
本発明によれば、スカム濃縮槽における混合液中のスカム濃度が徐々に上昇する。このため、このスカム濃度の高い混合液を抜液すれば効率的にスカムの除去が行える。したがって、水処理槽でのスカムによる障害を予防することができる。さらに、高濃度のスカムと汚泥が抜液することができるので、このものの処分が容易になり、処理費用も安価となる。
【発明を実施するための最良の形態】
【００１０】
図１および図２は、本発明のスカム除去装置の一例を示すものである。
これらの図中において、符号１０１は、スカム除去装置を示す。このスカム除去装置１０１は、図示しない水処理槽、例えば曝気槽などの水面付近に設けられている。
そして、このスカム除去装置１０１は、スカム濃縮槽１と、スカムスキマー２と、圧送手段として機能する空気圧入パイプ４とから概略構成されている。上記スカム濃縮槽１は、さらに前槽１１と中間槽１２と後槽１３とから構成されている。
前槽１１には、スカムスキマー２が設けられている。このスカムスキマー２には、例えば市販のフロート式スカムスキマーをそのまま用いることができる。
【００１１】
この例でのスカムスキマー２は、図２に示すように、２個のフロート２１、２１と１本のスカム吸入パイプ２２とからなり、スカム吸入パイプ２２の開口部付近の両側に２個のフロート２１、２１が取り付けられたものである。
このスカムスキマー２は、そのフロート２１、２１内に砂、水などの錘を入れることにより、水面上に浮上し、かつスカム吸入パイプ２２の開口部が水面よりも若干沈んだ状態となるようになっている。
【００１２】
このスカムスキマー２のスカム吸入パイプ２２の下部は、前槽１１の底部を貫通して下方に延び、その下部が連通パイプ３の一端側に移動可能に挿入されており、これによりスカム吸入パイプ２２の水位の変動による上下方向の動きが許容されるようになっている。
この連通パイプ３は、Ｕ字状になっており、その立ち上がり部分の端部が後槽１３の底部に開口している。
【００１３】
また、連通パイプ３の立ち上がり部分には、空気圧入パイプ４が接続されており、この空気圧入パイプ４から空気が連通パイプ３内の混合液に吹き込まれ、これによって、図示するような混合液の流れ、すなわちスカム吸入パイプ２２から吸い込まれた混合液が連通パイプ３を経て後槽１３に流れ込む流れが形成されるようになっている。この空気圧入パイプ４からの空気の圧入が、この例での圧送手段となっている。
なお、空気圧入パイプ４を設けずに、通常のポンプを連通パイプ３に取り付け、これによって上述の混合液の流れを作るようにしてもよい。
【００１４】
上記後槽１３は、その満水位が他の前槽１１および中間槽１２の満水位よりも高くなるように構成されており、後槽１３からの混合液が中間槽１２に溢流するようになっている。
上記中間槽１２は、前槽１１と隔壁１４で仕切られており、混合液がこの隔壁１４の下部をくぐって中間槽１２から前槽１１に流れ込むようになっている。
【００１５】
また、中間槽１２には、抜液パイプ５の一端が混合液中にその開口を臨ませた状態で設けられている。この抜液パイプ５は、ポンプ５１に接続され、中間槽１２内の混合液を引き抜き、図示しない脱水処理装置に送るようになっている。
また、中間槽１２には、上記ポンプの動作を制御する水位スイッチ（図示略）が設けられている。
【００１６】
上記前槽１１には、図２に示すように、上記スカムスキマー２のフロート２１、２１の浮遊を阻止するフロートふれ止め板１５が取り付けられている。また、前槽１１の前部には、壁部１６が設けられている。この壁部１６は、その高さが水処理槽の水位よりも低くされ、前槽１１からの混合液がこの壁部１６の上部を乗り越えて水処理槽に流れ込むようになっている。
そして、このようなスカム除去装置は、図１に示すように、水処理槽の水位Ｗに比べて、前槽１１の壁部１６の上端部の位置が低くなるように、水処理槽内に配設されている。
【００１７】
このような構造のスカム除去装置にあっては、水処理槽から前槽１１に流入した混合液のうち、水面に浮上するスカムと活性汚泥を含む混合液がスカムスキマー２のスカム吸入パイプ２２から吸入され、連通パイプ３を通り、後槽１３に流入する。この混合液は、さらに後槽１３から溢流して中間槽１２に流入し、ここから隔壁１４をくぐって前槽１１に流入し、その一部は水処理槽から新たに流入するスカムとともに再びスカムスキマー２に吸入される。また、その残部は、前槽１１の壁部１６を乗り越えて水処理槽に流れ出ることになる。
【００１８】
そして、このような混合液の循環を連続または断続して続けることにより、中間槽１２における混合液中のスカム濃度が徐々に高くなる。すなわち、後槽１３から溢流して中間槽１２に流入したスカムを含む混合液は、隔壁１４をくぐって前槽１１に流入し、再び水面上のスカムとともにスカムスキマー２に吸入されるため、スカム濃度が上昇する。この動作が繰り返されることで、混合液中のスカム濃度が徐々に上昇し、中間槽１２においてスカムが濃縮されることになる。
中間槽１２のスカム濃度が高くなった混合液は、抜液パイプ５から引き抜かれ、脱水処理される。
このようにして、水処理槽のスカムが除去されることになる。
【００１９】
このようなスカム除去装置は、廃水処理装置を構成する水処理槽、例えば、曝気槽、沈殿槽などの内部の水面に近い位置に図１に示した水位Ｗとなるように設置されて使用に供される。
図３は、図１および図２に示したスカム除去装置を廃水処理装置の曝気槽（水処理槽）に設置した例を示すものである。
【００２０】
図３において、処理原水は、調整槽３１に送られ、ここで水量が調整されたのち、ポンプ３２により第１流動床３３に送られる。この第１流動床３３では、多孔質担体に活性汚泥を担持したものを用いて処理が行われる。第１流動床３３からの処理水は第２流動床３４に送られ、同様の処理を受けた後、第１曝気槽３５に溢流し、ここで曝気されて活性汚泥による処理を受ける。
【００２１】
この第１曝気槽３５には上述のスカム除去装置３６が設置され、先に述べた動作が行われ、第１曝気槽３５において発生したスカムが除去される。
第１曝気槽３５からの廃水は、第２曝気槽３７に送られ、同様の曝気処理を受けた後、ポンプにより液中膜槽３８に送られる。
【００２２】
液中膜槽３８は、分離膜を用い、ここに流入した廃水を濾過し、汚泥等と処理水とに分離するもので、分離された処理水は、外部に送られる。汚泥等は、ポンプで汚泥貯槽３９に送られ、一旦貯留される。
汚泥貯槽３９の汚泥は、さらにポンプで抜き出され、凝集混和槽４０に送られ、ここでＰＡＣ、高分子凝集剤などの凝集剤が添加されて凝集される。
凝集された固形分は脱水機４１によって脱水され、脱水ケーキとなって外部に排出される。
【００２３】
また、この例では、スカム除去装置３６のスカム濃度の高い混合液が抜液パイプ５を経て凝集混和槽４０に送られ、汚泥貯槽３９からの汚泥と同様にして脱水処理されるようになっている。
【００２４】
このような廃水処理装置では、第１曝気槽３５で発生したスカムがスカム除去装置３６によって除去されるため、後段の第２曝気槽３６以降の各処理槽に流入することがなく、これらの処理槽がスカムによる障害を受けることがなくなる。
【００２５】
本発明にあっては、スカム除去装置を設置する処理槽は、図３に示した第１曝気槽に限られることはなく、スカムが発生する恐れがある沈殿槽、原水槽、油分分離槽などに設置することができる。
【図面の簡単な説明】
【００２６】
【図１】本発明のスカム除去装置の一例を示す概略断面図である。
【図２】図１に示したスカム除去装置の概略平面図である。
【図３】本発明のスカム除去装置を取り付けた廃水処理装置の例を示す概略構成図である。
【符号の説明】
【００２７】
１・・・スカム濃縮槽、２・・・スカムスキマー、３・・・連通パイプ、４・・・空気導入パイプ、４０・・・凝集混和槽、４１・・・脱水機
【図１】
2006075765.tif 000003
【図２】
2006075765.tif 000004
【図３】
2006075765.tif 000005